(57)【要約】      （修正有）【課題】撮影現場における指示や情報を反映した写真台帳を作成する技術を提供する。【解決手段】画像取得装置１０は、画像データを取得する撮像部１５と、予め記憶された複数の作業指示情報２６の中から作業指示情報を選択し、選択された作業指示情報を画像データに対応付ける作業指示情報選択部２１と、対応付けされた作業指示情報を画像データに関連付けて、作業指示情報が付帯された画像データを作成する画像作成部２２と、を備える。【選択図】図２
2018147215.tif 000002
【特許請求の範囲】
【請求項１】
画像データを取得する画像取得部と、
予め記憶された複数の作業指示情報の中から作業指示情報を選択し、選択された前記作業指示情報を前記画像データに対応付ける作業指示情報選択部と、
前記対応付けされた前記作業指示情報を前記画像データに関連付けて、前記作業指示情報が付帯された画像データを作成する画像作成部と、を備える
ことを特徴とする画像取得装置。
【請求項２】
請求項１に記載の画像取得装置であって、さらに、
画像を表示する表示部と、
前記作業指示情報が付帯された画像データに基づく画像と共に、該画像データに付帯された前記作業指示情報を前記表示部へ表示させる表示制御部と、備える
ことを特徴とする画像取得装置。
【請求項３】
請求項２に記載の画像取得装置であって、さらに、
前記作業指示情報選択部による選択に関する入力を受け付ける入力部と、を備える
ことを特徴とする画像取得装置。
【請求項４】
請求項３に記載の画像取得装置であって、
前記作業指示情報は、該作業指示情報を視覚的に表すアイコンである
ことを特徴とする画像取得装置。
【請求項５】
請求項１乃至請求項４のいずれか１項に記載の画像取得装置であって、
前記画像データは、工事撮影画像に関する画像データであって、前記作業指示情報は、工事撮影の結果をまとめた写真台帳の編集に用いられる情報である
ことを特徴とする画像取得装置。
【請求項６】
請求項５に記載の画像取得装置であって、
前記作業指示情報は、該作業指示情報に対応付けられる画像データについての、前記写真台帳への掲載の可否を指示する情報である
ことを特徴とする画像取得装置。
【請求項７】
請求項５に記載の画像取得装置であって、
前記作業指示情報は、対応付けられる複数の該作業指示情報と画像データの組のうち、いずれかの画像データが掲載される旨を指示する情報である
ことを特徴とする画像取得装置。
【請求項８】
請求項５に記載の画像取得装置であって、
前記作業指示情報は、対応付けられる複数の該作業指示情報と画像データの組の中における、各画像データの前記写真台帳への掲載の順序について指示する情報である
ことを特徴とする画像取得装置。
【請求項９】
請求項５に記載の画像取得装置であって、
前記作業指示情報は、対応付けられる複数の該作業指示情報と画像データについて、各画像データを前記写真台帳の同一の頁へ掲載する旨を指示する情報である
ことを特徴とする画像取得装置。
【請求項１０】
請求項５に記載の画像取得装置であって、
前記作業指示情報は、対応付けられる複数の該作業指示情報と画像データについて、各画像データを前記写真台帳の隣り合う頁へ掲載する旨を指示する情報である
ことを特徴とする画像取得装置。
【請求項１１】
請求項５に記載の画像取得装置であって、
前記作業指示情報は、該作業指示情報に対応付けられる画像データに関連した画像データを取得予定である旨を前記写真台帳へ掲載するように指示する情報である
ことを特徴とする画像取得装置。
【請求項１２】
請求項５に記載の画像取得装置であって、
前記作業指示情報は、該作業指示情報に対応付けられる画像データについて、該画像データの再取得を指示する情報である
ことを特徴とする画像取得装置。
【請求項１３】
請求項１乃至請求項４のいずれか１項に記載の画像取得装置であって、
前記作業指示情報は、前記画像取得部における前記画像データの取得設定に関するアドバイス情報の作成を指示するアドバイス作成指示情報である
ことを特徴とする画像取得装置。
【請求項１４】
請求項１３に記載の画像取得装置であって、
前記作業指示情報は、付帯される前記画像データに関連し、該画像データに基づく画像の一つ以上の特定の箇所を明示的に示す情報である
ことを特徴とする画像取得装置。
【請求項１５】
画像取得装置と画像編集装置を備えた写真台帳作成システムであって、
前記画像取得装置は、
画像データを取得する画像取得部と、
予め記憶された複数の作業指示情報の中から作業指示情報を選択し、選択された前記作業指示情報を前記画像データに対応付ける作業指示情報選択部と、
前記対応付けされた前記作業指示情報を前記画像データに関連付けて、前記作業指示情報が付帯された画像データを作成する画像作成部と、を有し、
前記画像編集装置は、
前記画像取得装置で作成された前記作業指示情報が付帯された画像データに基づき、写真台帳を作成する写真台帳作成部と、
前記画像取得装置で作成された前記作業指示情報が付帯された画像データに基づき、前記画像取得部における前記画像データの取得設定に関するアドバイス情報を作成するアドバイス情報作成部と、を有し、
前記画像取得装置は、さらに、
前記画像取得装置から受信した前記アドバイス情報を表示部へ表示させる表示制御部と、を有する
ことを特徴とする写真台帳作成システム。
【請求項１６】
請求項１５に記載の写真台帳作成システムは、さらに、
前記画像取得装置及び、前記画像編集装置と、データの送受信を行い、受信データを記憶するサーバ装置を備える
ことを特徴とする写真台帳作成システム。
【請求項１７】
請求項１５または請求項１６に記載の写真台帳作成システムは、さらに、
前記アドバイス情報を前記画像編集装置から取得し、前記アドバイス情報に基づき、画像取得指示を作成する画像取得指示作成部を有する、画像取得指示装置を備え、
前記画像取得装置の前記表示制御部は、前記画像取得指示を前記表示部へ表示させる
ことを特徴とする写真台帳作成システム。
【請求項１８】
画像データを取得する画像取得工程と、
予め記憶された複数の作業指示情報の中から作業指示情報を選択し、選択された前記作業指示情報を前記画像データに対応付ける作業指示情報選択工程と、
前記対応付けされた前記作業指示情報を前記画像データに関連付けて、前記作業指示情報が付帯された画像データを作成する画像作成工程と、
前記作業指示情報が付帯された画像データに基づき、写真台帳を作成する写真台帳作成工程と、
前記作業指示情報が付帯された画像データに基づき、前記画像データの取得設定に関するアドバイス情報を作成するアドバイス情報作成工程と、
前記アドバイス情報を表示する表示工程と、を有する
ことを特徴とする写真台帳作成方法。
【発明の詳細な説明】
【技術分野】
【０００１】
本発明は、工事現場における施工状態の進捗管理を行うために、撮影した画像から写真台帳を作成する技術に関する。
【背景技術】
【０００２】
工事現場における施工過程では、施工の工程が正しく行なわれているかどうかを示す証拠を残すために、各施工の工程において工事現場の撮影が行われる。このような施工工程を撮影する作業は、誤施工等を未然に防止することにもつながり、完成構造物の信頼性に関わる重要なプロセスである。撮影した画像は、施工主等に報告を行うために写真台帳（コンピュータ上で作成される電子アルバムを含む）として管理されることが一般的である。
【０００３】
一方、このような施工工程の撮影は、施工が進むと前工程の画像の撮り直しはできなくなることから、各施工の工程において台帳への掲載、未掲載に関わらず予備の画像を含めた複数の画像が撮影されることになる。その結果、工事現場の規模によっては、一現場あたり数百〜数千の画像が撮影される。従って、撮影した画像の管理に際して、例えば上記の写真台帳の作成にあたり、画像の掲載の有無等を一枚ずつ人力により判断するとなれば作業者に多大な負担を強いてしまう。
【０００４】
このような作業者への負担を軽減する技術として、従来、写真台帳の自動作成を行う技術が開示されている（特許文献１、２）。特許文献１、２に記載の技術は、撮影時の情報（撮影場所や撮影時間）に基づいて、写真台帳を自動作成するものである。
【先行技術文献】
【特許文献】
【０００５】
【特許文献１】特開2002-329191号公報
【特許文献２】特表2002-183742号公報
【発明の概要】
【発明が解決しようとする課題】
【０００６】
一方で、写真台帳の編集では、撮影現場における指示や情報を反映することも必要となる。例えば、多数の画像の中から最適な画像を選択したり、あるいは、画像の配置順を設定する場合である。しかしながら、写真台帳の編集作業は撮影終了後にまとめて行われ、時間が経過した後である場合も多いので、指示や情報の反映は簡単ではない。
【０００７】
以上の実情を鑑み、本発明では、撮影現場における指示や情報を反映した写真台帳を作成する技術を提供することを目的とする。
【課題を解決するための手段】
【０００８】
本発明の一態様における画像取得装置は、画像データを取得する画像取得部と、予め記憶された複数の作業指示情報の中から作業指示情報を選択し、選択された前記作業指示情報を前記画像データに対応付ける作業指示情報選択部と、前記対応付けされた前記作業指示情報を前記画像データに関連付けて、前記作業指示情報が付帯された画像データを作成する画像作成部と、を備えることを特徴とする。
【０００９】
本発明の一態様における写真台帳作成システムは、画像取得装置と画像編集装置を備えた写真台帳作成システムであって、前記画像取得装置は、画像データを取得する画像取得部と、予め記憶された複数の作業指示情報の中から作業指示情報を選択し、選択された前記作業指示情報を前記画像データに対応付ける作業指示情報選択部と、前記対応付けされた前記作業指示情報を前記画像データに関連付けて、前記作業指示情報が付帯された画像データを作成する画像作成部と、を有し、前記画像編集装置は、前記画像取得装置で作成された前記作業指示情報が付帯された画像データに基づき、写真台帳を作成する写真台帳作成部と、前記画像取得装置で作成された前記作業指示情報が付帯された画像データに基づき、前記画像取得部における前記画像データの取得設定に関するアドバイス情報を作成するアドバイス情報作成部と、を有し、前記画像取得装置は、さらに、前記アドバイス情報を表示部へ表示させる表示制御部と、を有することを特徴とする。
【００１０】
本発明の一態様における写真台帳作成方法は、画像データを取得する画像取得工程と、予め記憶された複数の作業指示情報の中から作業指示情報を選択し、選択された前記作業指示情報を前記画像データに対応付ける作業指示情報選択工程と、前記対応付けされた前記作業指示情報を前記画像データに関連付けて、前記作業指示情報が付帯された画像データを作成する画像作成工程と、前記作業指示情報が付帯された画像データに基づき、写真台帳を作成する写真台帳作成工程と、前記作業指示情報が付帯された画像データに基づき、前記画像データの取得設定に関するアドバイス情報を作成するアドバイス情報作成工程と、前記アドバイス情報を表示する表示工程と、を有することを特徴とする。
【発明の効果】
【００１１】
本発明によれば、撮影現場における指示や情報を反映した写真台帳を作成することが可能である。
【図面の簡単な説明】
【００１２】
【図１】第１の実施形態における写真台帳作成システムの構成を示す図。
【図２】第１の実施形態における写真台帳作成システムの機能構成を示す図。
【図３】画像作成部により作成された作業指示情報が付帯された画像データを表示部が表示している様子を示す図。
【図４】表示部が写真台帳の編集用画像を表示している表示例を示す図。
【図５】完成された写真台帳の一部の頁を示す図。
【図６】本システムにおいて用いられる装置（画像取得装置、画像編集装置）のハードウェア構成を示す図
【図７】第１の実施形態における写真台帳を作成するまでの手順を示すフローチャート
【図８】各モードを示す表示例を示す図。
【図９】第１の変形例における、作業指示情報が付帯された画像データを表示部が表示している様子を示す図。
【図１０】第１の変形例における、表示部が写真台帳の編集用画像を表示している表示例を示す図。
【図１１】第１の変形例における、完成された写真台帳の一部の頁を示す図
【図１２】対応付ける作業指示情報を切り替える様子を示す図。
【図１３】第２の変形例における、作業指示情報が付帯された画像データを表示部が表示している様子を示す図。
【図１４】第２の変形例における、表示部が写真台帳の編集用画像を表示している表示例を示す図。
【図１５】第２の変形例における、完成された写真台帳の一部の頁を示す図
【図１６】第３の変形例における、作業指示情報が付帯された画像データを表示部が表示している様子を示す図。
【図１７】第３の変形例における、表示部が写真台帳の編集用画像を表示している表示例を示す図。
【図１８】第３の変形例における、完成された写真台帳の一部の頁を示す図
【図１９】第４の変形例における、作業指示情報が付帯された画像データを表示部が表示している様子を示す図。
【図２０】第４の変形例における、表示部が写真台帳の編集用画像を表示している表示例を示す図。
【図２１】第４の変形例における、完成された写真台帳の一部の頁を示す図
【図２２】第５の変形例における、作業指示情報が付帯された画像データを表示部が表示している様子を示す図。
【図２３】第５の変形例における、表示部が写真台帳の編集用画像を表示している表示例を示す図。
【図２４】第５の変形例における、完成された写真台帳の一部の頁を示す図
【図２５】第６の変形例における、作業指示情報が付帯された画像データを表示部が表示している様子を示す図。
【図２６】第６の変形例における、表示部が写真台帳の編集用画像を表示している表示例を示す図。
【図２７】第６の変形例における、完成された写真台帳の一部の頁を示す図
【図２８】第２の実施形態における写真台帳作成システムの構成を示す図。
【図２９】第２の実施形態における写真台帳作成システムの機能構成を示す図。
【図３０】第２の実施形態における写真台帳作成システムの機能構成を示す図。
【図３１】作業指示情報が付帯された画像データを表示部が表示している様子を示す図。
【図３２】作業指示情報が付帯された画像データを表示部が表示している他の様子を示す図。
【図３３】作業指示情報が付帯された画像データを表示部が表示しているさらに他の様子を示す図。
【図３４】表示部が写真台帳の編集用画像を表示している表示例を示す図。
【図３５】完成された写真台帳の一部の頁を示す図
【図３６】第２の実施形態における写真台帳を作成するまでの手順を示すフローチャート
【発明を実施するための形態】
【００１３】
以下、本発明の第１の実施形態の写真台帳作成システムについて説明する。図１は、本実施形態における写真台帳作成システム１を示す図である。写真台帳作成システム１は、工事現場の各施工工程で、工事現場の画像を取得し、該画像から写真台帳を作成するシステムである。
【００１４】
写真台帳作成システム１は、画像取得装置１０と、画像編集装置４０と、サーバ６０と、を備え、コンピュータネットワークであるネットワーク４を介して各装置間のデータの送受信を実行するシステムである。
【００１５】
画像取得装置１０は、工事現場の撮影画像を取得する装置であり、本実施形態ではカメラ等の撮影手段を備えたＰＤＡのような携帯型のタブレット端末とする。画像取得装置１０は、撮影者２からの入力指示によって、撮影対象Ｈの撮影を行い、画像データを取得する。撮影対象Ｈは、施工過程の工事現場の様子を示すものであり、例えば、建築途中の建物の部位（柱等）である。また、撮影対象Ｈの撮影を行い取得した画像データのことを工事撮影画像データとも記載する。また、画像取得装置１０は、上記取得した画像データを含むデータ（詳しくは後述する）を画像編集装置４０へ送信する。
【００１６】
画像編集装置４０は、画像取得装置１０から受信したデータに基づいて、写真台帳の編集及び作成処理を実行する。画像編集装置４０は、編集者３からの入力指示によって、写真台帳の編集を行い、該編集内容を反映した写真台帳を作成する。写真台帳とは、複数の施工過程における画像をページ毎にまとめて掲載したものであり、電子アルバムとも称す。
【００１７】
尚、画像取得装置１０と画像編集装置４０との間で送受信されるデータや、画像編集装置４０が作成した写真台帳は、ネットワーク４を介してサーバ６０に記憶されてもよい。また、画像取得装置１０と画像編集装置４０との間で送受信を行う際に、サーバ６０を介してデータのやり取りを行ってもよい。
【００１８】
図２は、写真台帳作成システム１の機能構成を示す図である。以下、写真台帳作成システム１に含まれる画像取得装置１０、画像編集装置４０、サーバ６０の各機能構成について図２を参照しつつ説明する。
【００１９】
画像取得装置１０は、撮像部１５と、入力部１６と、表示部１７と、通信部１８と、制御部１９と、記憶部２４を有している。
【００２０】
撮像部１５は、画像取得装置１０に備わる撮影手段に撮影対象Ｈの撮影を実行し、画像データ（工事撮影画像データ）を取得する。撮像部１５は、画像取得部とも呼ぶ。また、撮像部１５は、入力部１６からの指示によって撮影処理を行う。
【００２１】
入力部１６は、撮影者２からの入力を受け付ける。入力部１６は、画像取得装置１０に備わるボタンへの操作入力を検知してもよく、表示部１７がタッチパネル式の表示媒体である場合、撮影者２による表示部１７へのタッチ操作を入力として検知してもよい。
【００２２】
表示部１７は、画像を表示する表示媒体である。表示部１７は、例えば、通常の液晶モニタや、タッチ操作を受け付けるタッチパネル式の液晶モニタである。
【００２３】
通信部１８は、外部機器とデータの送受信を行う。例えば、通信部１８は、制御部１９によって作成された、作業指示情報が付帯された画像データを装置外部へ送信する。
【００２４】
制御部１９は、画像取得装置１０全体を統括的に制御するものである。制御部１９は、制御プログラムを読込んだＣＰＵによるソフトウェア処理により、各制御処理を実行する。ＣＰＵ等については、図６で後述する。制御部１９は、本実施形態に関する処理部として、作業指示情報選択部２１と、画像作成部２２と、表示制御部２３とを有している。
【００２５】
作業指示情報選択部２１は、記憶部２４に予め記憶された複数の作業指示情報２６の中から、撮影者２の指示に基づき作業指示情報を選択し、選択した作業指示情報２６を、撮像部１５により取得された画像データに対応付ける処理を行う。作業指示情報２６とは、本写真台帳作成システム１における写真台帳を作成する一連の処理過程の中のいずれかの工程を補助するための情報である。また、作業指示情報２６を画像データに対応付けるとは、制御部１９内で、作業指示情報２６と画像データの二つのデータを紐付けることを意味する。
【００２６】
尚、本実施形態における作業指示情報２６は、工事撮影の撮影結果をまとめた写真台帳を作成するための編集に用いられる情報である。以下では、写真台帳への掲載の可否を指示する情報として説明する。即ち、本実施形態における作業指示情報２６は、対応付けられた画像データに基づく画像を写真台帳に掲載するか否かを示すような情報である。
【００２７】
画像作成部２２は、作業指示情報選択部２１により対応付けられた作業指示情報２６を付帯させた画像データを作成する。即ち、画像作成部２２は、作業指示情報２６を画像データに付帯させて、作業指示情報２６を加味した新たな画像データを作成するものである。
【００２８】
表示制御部２３は、作業指示情報２６が付帯された画像データに基づく画像を、表示部１７へ表示させる。
【００２９】
図３は、作業指示情報２６を付帯された画像データが表示部１７に表示された図である。
【００３０】
図３の表示例１００５では、撮像部１５が取得した一つの画像データに基づく画像１００７と、その画像データに対し付帯された作業指示情報２６であるアイコン１００８が表示されている。なお、以下では、簡便のため、撮像部１５が取得した「画像データに基づく画像」を単に「画像」とも呼ぶ。また、図３の表示例１００６では、撮像部１５で取得した複数の画像に基づくサムネイル画像である画像１００７ａ〜１００７ｅと、各画像にそれぞれ付帯された作業指示情報２６であるアイコン１００８ａまたはアイコン１００８ｂが表示されている。アイコン１００８ａは、対応する画像の掲載を指示するアイコンである。つまり、画像１００７ａ、１００７ｂ、１００７ｃは、掲載指示がされた画像である。逆に、アイコン１００８ｂは、対応する画像を掲載しないよう指示するアイコンである。つまり、画像１００７ｄ、１００７ｅは、掲載しないよう指示された画像である。アイコン１００８ａ及びアイコン１００８ｂを、掲載可否アイコンとも呼ぶ。
【００３１】
そして、アイコンは、本作業指示情報が有する意味（例えば、写真台帳へ掲載する、または、掲載しない）が、撮影者２が見たときに、簡単に判別できるものであることが望ましい。
【００３２】
なお、掲載しない指示の場合にはアイコンを非表示とする例、つまり、掲載するかしないかをアイコンの有無で表現しても構わない。
【００３３】
また、撮影者２は、入力部１６を介して、上記アイコンをタップする（別の入力方法でも可）ことで、アイコン１００８ａとアイコン１００８ｂとを切り替えるようにしてもよい。このようにすれば、撮影者２の意向に応じて作業指示情報２６の切替を適宜行うことができる。
【００３４】
記憶部２４は、撮像部１５が取得した画像データ２５、予め記憶される作業指示情報２６等を記憶する。画像データ２５には、作業指示情報２６が付帯された画像データも含まれる。
【００３５】
次に、画像編集装置４０は、入力部４１、表示部４２、通信部４３、制御部４４、記憶部４７等を有している。
【００３６】
入力部４１は、編集者３からの入力を受け付ける。入力部４１は、入力部１６と同様に、装置に付属するボタンでもよく、表示部４２がタッチパネル式の表示媒体である場合、表示部４２へのタッチ操作を入力として受け付けるものでもよい。
【００３７】
表示部４２は、画像を表示する表示媒体である。表示部４２は、表示部１７と同様である。
【００３８】
通信部４３は、外部機器とデータの送受信を行う。例えば、通信部４３は、制御部４４によって作成された、写真台帳５０を装置外部へ送信する。また、画像取得装置１０から送信された作業指示情報が付帯された画像データを受信する。
【００３９】
制御部４４は、画像編集装置４０全体を統括的に制御するものである。制御部４４は、制御プログラムを読込んだＣＰＵによるソフトウェア処理により、以下の処理を実行する。ＣＰＵ等については、図６で後述する。制御部４４は、画像編集装置４０に備わる処理部として、写真台帳作成部４５と、表示制御部４６を有している。
【００４０】
写真台帳作成部４５は、画像取得装置１０から受信した作業指示情報２６が付帯された画像データに基づき、写真台帳を作成する。写真台帳作成部４５は、受信した作業指示情報２６が付帯された画像データについて、付帯された作業指示情報２６に従って、編集用の画像を作成する。さらに、写真台帳作成部４５は、入力部４１からの編集者３からの入力によって写真台帳の編集を行い、該編集を反映した写真台帳を作成する。
【００４１】
表示制御部４６は、写真台帳の編集用画像や完成した写真台帳を表示部４２へ表示させる。記憶部４７は、画像編集装置４０が取得した画像データ４８、作業指示情報４９、作成した写真台帳５０等を記憶する。
【００４２】
図４は、表示部４２に示される、写真台帳の編集用画像の表示例である。写真台帳の編集用画像は、付帯された作業指示情報２６に基づき、記憶部４７に記憶された作業指示情報４９を参照して、掲載、非掲載を編集者３が判別できるように、写真台帳作成部４５によって作成される。
【００４３】
図４の表示例１００９は、図３で示した、作業指示情報２６が付帯された画像データに基づく、編集画像である。編集用画像では、画像取得装置１０において、掲載を指示するアイコン１００８ａが付帯されていた画像１００７ａ〜１００７ｃについては、掲載するものであることが表記される。同様に、掲載しないことを指示するアイコン１００８ｂが付帯されていた画像１００７ｄ、１００７ｅについては、掲載しないものであることが表記される。
【００４４】
そして、写真台帳作成部４５は、編集者３からのアルバム作成ボタン１０１１への入力（タップ等）によって写真台帳の作成を開始する。図５は、完成された写真台帳の一部の頁を示す図である。図５の表示例１０１２は、図４で撮影者２による作業指示情報により掲載指示された画像１００７ａ〜１００７ｃが写真台帳に掲載される。尚、編集の過程で編集者３からの入力により、各画像の説明文１０１３が編集されても構わない。
【００４５】
このように画像取得装置１０において取得された画像に作業指示情報を対応付けることによって、後続の装置における写真台帳の編集処理等に対し、撮影者２の意向（指示や情報）を容易に伝達することが可能となる。即ち、工事現場に居合わせない第３者が操作する装置（画像編集装置４０）で写真台帳を作成する場合であっても、撮影者２の意向を反映した写真台帳を作成することができることから、写真台帳の作成にあたり作業分担を行うことができる。
【００４６】
本実施形態による写真台帳作成システムは、撮影者２が掲載の有無といった写真台帳作成に関わる意向を、第３者に伝達可能なシステムである。そのため、撮影者２が編集作業を行わずともよく、撮影者２が写真台帳の編集作業も行うシステムと比較して、撮影者２の作業負担を軽減することができる。
【００４７】
また、サーバ６０は、記憶部６１と、制御部６２と、通信部６３を有している。サーバ６０は、画像取得装置１０と画像編集装置４０との間で送受信されるデータを通信部６３を介して受信し、記憶部６１へ記憶する。
【００４８】
図６は、本システムにおいて用いられる装置（画像取得装置１０、画像編集装置４０）のハードウェア構成を示す図である。装置は、ＣＰＵ８１、ＤＲＡＭ８２、ＲＯＭ８３、記憶部８４、通信部８５を備えている。
【００４９】
ＣＰＵ８１は、ＲＯＭ８３に格納される各種制御プログラム（画像作成部の処理プログラム、写真台帳作成部の処理プログラム等）を読みこんで実行する。
【００５０】
ＤＲＡＭ８２は、制御プログラムや各種データを一時的に格納するワーキングエリアを提供する。ＲＯＭ８３は、各種制御プログラムを不揮発的に記憶する記憶媒体である。
【００５１】
記憶部８４は、各種データ（画像データ、作業指示情報等）を記憶するものであり、フラッシュメモリやハードディスク等により構成される。通信部８５は、装置外部とデータの送受信を行うものである。尚、各構成は、バス８６により接続される。
【００５２】
図７は、本写真台帳作成システム１における写真台帳を作成するまでの手順を示すフローチャートである。以下、図７の各手順について説明する。図７における画像取得処理のフローは、画像取得装置１０が実行する処理を示し、画像編集処理のフローは、画像編集装置４０が実行する処理を示す。以下では、画像取得処理、画像編集処理の順に説明する。
【００５３】
ステップＳ１では、入力部１６を介して撮影者２による撮影指示を受け付けたかどうかを判定する。尚、ステップＳ１の判定がＮｏである場合、撮影指示を受け付けるまで判定を繰り返す。ステップＳ１の判定がＹｅｓである場合、ステップＳ２へ進む。
【００５４】
ステップＳ２では、撮像部１５が撮影を実行し、画像データ（工事撮影画像データ）を取得する。
【００５５】
ステップＳ３では、入力部１６を介して撮影者２によるアイコンの選択指示を受け付けたかどうかを判定する。このとき、撮影者２は、表示部１７に表示された画像を見て、画像に付帯する作業指示情報（アイコン）の選択を行う。ステップＳ３の判定がＮｏである場合、撮影指示を受け付けるまで判定を繰り返す。ステップＳ３の判定がＹｅｓである場合、ステップＳ４へ進む。
【００５６】
ステップＳ４では、画像作成部２２により、画像データに選択された作業指示情報が付帯され、表示制御部２３によって、画像及び付帯された作業指示情報（アイコン）が表示される。
【００５７】
ステップＳ５では、画像データと画像に付帯された作業指示情報を共に画像編集装置４０へ送信する。
【００５８】
尚、ステップＳ３において撮影者２が画像を見て、アイコンの選択を行うとしたが、撮影者２が選択を行う際に、既にデフォルトのアイコンが画像に付帯されており、画像とデフォルトのアイコンが表示部１７に表示されていてもよい。デフォルトのアイコン（作業指示情報）は、取得された画像データに対し作業指示情報選択部２１が最初に自動で選択し付与する作業指示情報であり、選択されることが予め決められた作業指示情報である。つまり、デフォルトのアイコンは、撮影者２による入力を伴わずに付帯される。本実施形態の場合では、例えば、デフォルトのアイコンとしてアイコン１００８ａ、１００８ｂのいずれかが表示される。デフォルトのアイコンを設定した場合でも、入力部１６によって撮影者２による選択指示を受け付けるため、撮影者２の意向が反映されることに変わりはない。
【００５９】
ステップＳ２１では、画像編集装置４０が、通信部４３を介して撮影結果（作業指示情報が付帯された画像データ）を取得する。
【００６０】
ステップＳ２２では、写真台帳作成部４５が付与されたアイコンに基づく編集処理を行う。ステップＳ２３では、該編集処理の内容に基づいて写真台帳の作成を行い、フローチャートを終了する。
【００６１】
また、本発明の写真台帳作成システム１は、作業指示情報を選択し、付帯させる処理の実行の有効と無効を切り替えることができてもよい。例えば、図８に示すように、表示例１０５０は、本システムの処理が有効なモード（ＯＮ）とされている例で、表示例１０５１は、本システムの処理が無効なモード（ＯＦＦ）とされている例である。また、表示例１０５２に示すように、画像データを取得した位置や時間によって掲載の有無を自動的に判定するような機能を有していてもよく、そのような条件指定モードが選択されてもよい。条件指定モードでは、時間ＯＮのときには指定した時間帯内で掲載がＯＮとなるようにしてあり、例えば撮影者２の作業時間帯（９：００〜１７：００など）を指定すれば、撮影者２が工事撮影を行う時間のみの画像を掲載対象に限定することができる。また、位置ＯＮのときには、指定した領域内で掲載がＯＮとなるようにしてあり、例えば地図上で指定された領域を作業エリアとすることで、画像取得装置１０を付帯した撮影者２が作業エリアから離れたら、工事現場とは異なるエリアである、として掲載対象から外すこともできる。
【００６２】
また、本実施形態において画像取得装置１０は、撮像部１５を有するものとしたが、必ずしもこの構成に限るものではない。例えば、画像取得装置１０は、撮像部１５を有しておらず、装置外部のカメラで撮影した画像データを、通信部１８を介して取得するものであってもよい。その場合、通信部１８が画像取得部の役割を担う。
【００６３】
また、写真台帳作成システム１では、一つの画像取得装置１０と画像編集装置４０との間でデータを送受信するものとしたが、必ずしもこの構成に限るものではない。例えば、複数の画像取得装置１０を有し、各画像取得装置から画像データ及び画像データに付帯された作業指示情報を受信する構成であってもよい。
〈第１の変形例〉
以下、第１の実施形態の写真台帳作成システム１に関する変形例１〜６を順に説明する。
【００６４】
第１の変形例は、掲載の可否の作業指示情報に加えて、さらに新たな意味を有する作業指示情報を用いるものである。図９から図１２は、第１の変形例を説明する図である。以下、図９から図１２を参照しつつ、写真台帳作成システム１の第１の変形例について説明する。
【００６５】
図９は、第１の変形例において、画像取得装置１０の表示部１７に表示される画像と作業指示情報を示す図である。図９の表示例１０６０では、サムネイル画像である画像１０６１ａ〜１０６１ｅと、各画像データに対しそれぞれ付帯された作業指示情報であるアイコン１０６２ａ、アイコン１０６２ｂを表示している。アイコン１０６２ｂは、アイコン１００８と同様のアイコンであり、掲載可否の指示を示す作業指示情報である。
【００６６】
アイコン１０６２ａは、複数の画像データに付帯される作業指示情報であり、対応付けられる複数の作業指示情報と複数の画像データの組のうち、いずれかの画像データが掲載される旨を指示する情報である。即ち、最も良く撮れた画像を選択する一択他捨の選択を指示する情報である。例えば、図９の表示例１０６０では、画像１０６１ａ、１０６１ｂ、１０６１ｃにそれぞれアイコン１０６２ａが付帯されている。アイコン１０６２ａは、画像１０６１ａ、１０６１ｂ、１０６１ｃのいずれか一つの画像データを写真台帳に掲載する指示を示すものである。アイコン１０６２ａは、一択用アイコンとも呼ぶ。
【００６７】
図１０は、第１の変形例において、画像編集装置４０の表示部４２に表示される編集用画像である。図１０の表示例１０６５（編集用画像）は、図９で示した、作業指示情報２６が付帯された画像データに基づく編集画像である。
【００６８】
上述の一択他捨の指示であるアイコン１０６２ａが付帯された画像１０６１ａ、画像１０６１ｂ、画像１０６１ｃは、いずれか一つが掲載されるものである。そのため、例えば、編集者３からの選択を受け付ける選択ボタン１０６３が表示される。編集者３は、画像１０６１ａ、画像１０６１ｂ、画像１０６１ｃ下部のいずれかの選択ボタン１０６３をタッチ操作やポインタ１０６４等により選択し、続いてアルバム作成ボタン１０６６を選択することで写真台帳の作成が開始される。尚、選択ボタン１０６３が選択された際に、対応する画像が、太枠で表示される等、強調される処理が行われてもよい。
【００６９】
図１１は、完成された写真台帳の一部の頁を示す図である。図１１の表示例１０６７では、選択された画像１０６１ｂを含む画像が写真台帳に掲載される。また、第１の実施形態で説明したように、編集の過程で編集者３からの入力により、各画像の説明文１０６８が編集されても構わない。
【００７０】
また、異なった意味を有する作業指示情報であるアイコンについて、撮影者２からの入力により切替を行うことができることが望ましい。図１２は、画像取得装置１０におけるアイコンの切替を示す図である。
【００７１】
表示例１０６９ａにおいて、ポインタ１０６４またはタッチ操作等により現在画像に付帯されているアイコン１０６２ｂが選択されると、表示例１０６９ｂのように異なる意味を有するアイコンへの切替選択を行う表示が展開される。切替選択を行う表示では、例えば、使用可能なアイコンを表示し、撮影者２へ選択を促す。表示例１０６９ｂのように、現在のアイコン１０６２ｂとは異なるアイコン１０６２ａが、撮影者２の入力により選択されると、表示例６９ｃのように該選択されたアイコン１０６２ａが画像に対し新たに付帯されることとなる。
【００７２】
このように、複数の異なる作業指示情報が使用可能である場合には、表示される画像中で撮影者２がアイコンの切替を行うことができる構成が望ましい。尚、以降の変形例、実施形態においても本構成を有していることが望ましい。
【００７３】
以上の第１の変形例では、掲載の可否に加えて、最も良く撮れた画像を選択する一択他捨の選択を行うことを知らせる情報がさらに作業指示情報として追加される。工事現場の施工工程は、工程が進むと撮りなおしがきかないため、予備の複数の画像が撮影されることが想定される。そうであれば、同様の工程の同様の箇所を撮影した画像が複数含まれることがあり、その中で一番良く撮れた画像を写真台帳に掲載することが望まれる。本変形例によれば、画像に付与するアイコン（作業指示情報）をアイコン１０６２ａとすることで、撮影者２の同一の複数の画像について一択他捨を行いたいという意向を第３者である編集者３へ容易に伝達することができる。
〈第２の変形例〉
図１３から図１５は、第２の変形例を説明する図である。以下、図１３から図１５を参照しつつ、写真台帳作成システム１の第２の変形例について説明する。第２の変形例では、新たな意味を有する作業指示情報を用いる。
【００７４】
図１３は、第２の変形例において、画像取得装置１０の表示部１７に表示される画像と対応する作業指示情報を示す図である。図１３の表示例１０７０では、サムネイル画像である画像１０７１ａ〜１０７１ｅと、対応する作業指示情報であるアイコン１０７２が表示される。
【００７５】
アイコン１０７２は、複数の画像データに付帯される作業指示情報であり、対応付けられる複数の該作業指示情報と画像データの組の中における、各画像データの写真台帳への掲載の順序について指示する情報である。例えば、表示例１０７０のように、掲載する順に１〜５の数字であるアイコン１０７２が割り振られる。アイコン１０７２は、掲載順番アイコンとも呼ぶ。
【００７６】
図１４は、第２の変形例において、画像編集装置４０の表示部４２に表示される編集用画像である。図１４の表示例１０７３（編集用画像）は、図１３で示した作業指示情報に基づいて編集された編集用画像である。
【００７７】
図１４の表示例１０７３では、アイコン１０７２に示された掲載順に画像１０７１ａ〜１０７１ｅが並び替えられ、また掲載順を明示する補佐情報（矢印）１０７４が設けられている。編集者３からの入力により、アルバム作成ボタン１０７５を選択することで写真台帳の作成が開始される。
【００７８】
図１５は、完成された写真台帳の一部の頁を示す図である。図１５の表示例１０７６では、アイコン１０７２で規定された順序で画像１０７１ａ〜１０７１ｅが掲載される。また、第１の実施形態で説明したように、編集の過程で編集者３からの入力により、各画像の説明文７７が編集されても構わない。
【００７９】
以上の第２の変形例では、画像の掲載順序を示す情報が作業指示情報とされる。本変形例によれば、写真台帳への掲載順序を規定したい場合において、撮影者２の意向を第３者である編集者３へ容易に伝達することができる。
〈第３の変形例〉
図１６から図１８は、第３の変形例を説明する図である。以下、図１６から図１８を参照しつつ、写真台帳作成システム１の第３の変形例について説明する。第３の変形例では、新たな意味を有する作業指示情報を用いる。
【００８０】
図１６は、第３の変形例において、画像取得装置１０の表示部１７に表示される画像と作業指示情報を示す図である。表示例１０８０には、サムネイル画像である画像１０８１ａ〜１０８１ｅと、対応する作業指示情報であるアイコン１０８２ａ、１０８２ｂが表示される。
【００８１】
アイコン１０８２ａ、１０８２ｂは、複数の画像データに付帯される作業指示情報であり、対応する画像データを写真台帳の同一の頁へ掲載する旨を指示する情報である。例えば、表示例１０８０の場合、アイコン１０８２ａが付された画像１０８１ａ、１０８１ｃ、１０８１ｅを、写真台帳の特定の同一の頁へ掲載し、アイコン１０８２ｂが付された画像１０８１ｂ、１０８１ｄを、上記画像１０８１ａ等とは異なる頁で、かつ同一の頁へ掲載することを指示する。
【００８２】
図１７は、第３の変形例において、画像編集装置４０の表示部４２に表示される編集用画像である。編集用画像は、アイコン１０８２ａが付された画像と、アイコン１０８２ｂが付された画像とをそれぞれ異なる特定の頁へ掲載する旨が編集者３が見て判断できるようなものであればよい。
【００８３】
図１７の表示例１０８３では、アイコン１０８２ａが付された画像（画像１０８１ａ、画像１０８１ｃ、画像１０８１ｅ）が特定の頁（Ｘ頁）に掲載され、また、アイコン１０８２ｂが付された画像（画像１０８１ｂ、画像１０８１ｄ）が特定の頁（Ｙ頁）に掲載されることが示される。そして、編集者３からの入力により、アルバム作成アイコン１０８４を選択することで写真台帳の作成が開始される。
【００８４】
図１８は、完成された写真台帳の一部の頁（Ｘ頁、Ｙ頁）を示す図である。表示例１０８５では、アイコン１０８２ａが付帯された３枚の画像がＸ頁に、また、アイコン８２ｂが付帯された２枚の画像がＹ頁に掲載される。また、第１の実施形態で説明したように、編集の過程で編集者３からの入力により、各画像の説明文１０８６が編集されても構わない。
【００８５】
以上の第３の変形例では、特定の複数の画像について写真台帳の同一の頁へ掲載する旨を伝達する情報が作業指示情報とされる。例えば、同じ現場区画で撮影した部材の画像を同一の頁に載せることで、他の現場区画で撮影した画像と写真台帳上で区別することができる。従って、本変形例によれば、撮影者２が画像毎に望む掲載頁を編集者３へ伝達することができるとともに、より見栄えの良い写真台帳を作成することができる。
〈第４の変形例〉
図１９から図２１は、第４の変形例を説明する図である。以下、図１９から図２１を参照しつつ、写真台帳作成システム１の第４の変形例について説明する。第４の変形例では、新たな意味を有する作業指示情報を用いる。
【００８６】
図１９は、第４の変形例において、画像取得装置１０の表示部１７に表示される画像と対応する作業指示情報を示す図である。図１９の表示例１０９０では、サムネイル画像である画像１０９１ａ〜１０９１ｅと、対応する作業指示情報であるアイコン１０９２ａ、１０９２ｂが表示される。
【００８７】
アイコン１０９２ａ、１０９２ｂは、複数の画像データに付帯される作業指示情報であり、対応付けられる複数の該作業指示情報と画像データについて、各画像データを写真台帳の隣り合う頁へ掲載する旨を指示する情報である。例えば、表示例１０９０の場合、アイコン１０９２ａが付された画像１０９１ａ、１０９１ｃ、１０９１ｅを、写真台帳の特定の同一の頁へ掲載し、アイコン１０９２ｂが付された画像１０９１ｂ、１０９１ｄを、上記画像１０９１ａ、１０９１ｃ、１０９１ｅを掲載する頁と隣り合う同一の頁へ掲載することを示す情報となる。
【００８８】
図２０は、第４の変形例において、画像編集装置４０の表示部４２に表示される編集用画像である。編集用画像は、アイコン１０９２ａが付された画像と、アイコン１０９２ｂが付された画像とをそれぞれ隣り合う特定の頁へ掲載する旨が、編集者３が見て判断できるようなものであればよい。図２０の表示例１０９３は、アイコン１０９２ａが付された画像（画像１０９１ａ、画像１０９１ｃ、画像１０９１ｅ）が特定の頁（Ｘ頁）に掲載されることと、アイコン１０９２ｂが付された画像（画像１０９１ｂ、画像１０９１ｄ）がＸ頁と隣り合う特定の頁（Ｘ＋１頁）に掲載されることを示す編集用画像の例である。
【００８９】
そして、編集者３からの入力により、アルバム作成ボタン１０９４を選択することで写真台帳の作成が開始される。
【００９０】
図２１は、完成された写真台帳の隣り合う頁（Ｘ頁、Ｘ＋１頁）を示す図である。表示例１０９５では、アイコン１０９２ａが付帯された画像がＸ頁に、また、アイコン１０９２ｂが付帯された画像がＸ頁と隣り合うＸ＋１頁に、掲載される。また、第１の実施形態で説明したように、編集の過程で編集者３からの入力により、各画像の説明文１０９６が編集されても構わない。
【００９１】
以上の第４の変形例では、特定の複数の画像について、写真台帳の隣り合う頁へ掲載する旨を伝達する情報が作業指示情報とされる。例えば、関連性のある二つの画像群を見開き２頁に掲載することで、両者の対比が行いやすい写真台帳を作成することができる。即ち、本変形例によっても、より見栄えの良い写真台帳を作成することができる。
〈第５の変形例〉
図２２から図２４は、第５の変形例を説明する図である。以下、図２２から図２４を参照しつつ、写真台帳作成システム１の第５の変形例について説明する。第５の変形例では、新たな意味を有する作業指示情報を用いる。
【００９２】
図２２は、第５の変形例において、画像取得装置１０の表示部１７に表示される画像と作業指示情報を示す図である。表示例１１１０では、サムネイル画像である画像１１１１ａ〜１１１１ｃと、対応する作業指示情報であるアイコンを表示している。尚、アイコン１０７２、アイコン１０８２は、それぞれ第２の変形例、第３の変形例で説明したものと同様である。
【００９３】
画像１１１１ｂ及び画像１１１１ｃに付帯されたアイコン１１１２は、このアイコン１１１２が付帯された画像データに関連した画像データを取得予定であることを示している。より詳しくは、本来写真台帳に掲載すべき画像は未取得であり、ここでは仮の画像（画像取得装置に記憶されている画像、例えば取得予定である画像と同一の現場における過去の施工工程の画像等）にアイコン１１１２を付帯させることで、その取得予定を示すものとなっている。
【００９４】
図２３は、第５の変形例において、画像編集装置４０の表示部４２に表示される編集用画像である。編集用画像は、アイコン１１１２が付された画像に関連した本来写真台帳に掲載される画像が未取得であることが、編集者３から見て判断できるようなものであればよい。表示例１１１３では、画像１１１１ｂ、画像１１１１ｃについて、画像の枠が点線で表される等、アイコン１１１２が付帯されていない画像との差別化が図られている。
【００９５】
そして、編集者３からの入力により、アルバム作成アイコン１１１４を選択することで写真台帳の作成が開始される。
【００９６】
図２４は、完成された写真台帳の一部を示す図である。図２４の表示例１１１５では、アイコン１１１２が付帯された画像１１１２ｂ、１１１２ｃについて、本来撮影されるべき画像が未撮影であることがわかるように表示される。例えば、画像に「未撮影」との文字が重畳される。また、第１の実施形態で説明したように、編集の過程で編集者３からの入力により、各画像の説明文１１１６が編集されても構わない。
【００９７】
以上の第５の変形例では、本来撮影するはずの画像について画像取得（撮影）が行われていないような場合に、後程該画像を取得する予定であり、掲載予定であることが判別できるように写真台帳が作成される。特に、掲載予定の画像のスペースが写真台帳上に確保されることから、後で画像を付け足す場合においても規定の箇所に画像を掲載することが可能である。
〈第６の変形例〉
図２５から図２７は、第６の変形例を説明する図である。以下、図２５から図２７を参照しつつ、写真台帳作成システム１の第６の変形例について説明する。第６の変形例では、新たな意味を有する作業指示情報を用いる。
【００９８】
図２５は、第６の変形例において、画像取得装置１０の表示部１７に表示される画像と作業指示情報を示す図である。表示例１１２０では、サムネイル画像である画像１１２１ａ〜１１２１ｅと、各画像データに対しそれぞれ付帯された作業指示情報であるアイコンを表示している。尚、アイコン１００８については、第１の実施形態で説明したものと同様である。
【００９９】
画像１１２１ｃ付帯されたアイコン１１２２は、このアイコン１１２２が付帯された画像データの再取得を指示することを示す情報である。つまり、アイコン１１２２が付与された画像データに基づく画像１１２１ｃ自体は、所定の施工工程の現場を撮影したものであるものの、写りが悪い等の理由から、撮影者２が撮りなおしを行いたいと思った画像である。
【０１００】
図２６は、第３の変形例において、画像編集装置４０の表示部４２に表示される編集用画像である。編集用画像は、アイコン１１２２が付された画像が再取得される予定である旨が、編集者３から見て判断できるようなものであればよい。表示例１１２３では、アイコン１１２２が付帯された画像１１２１ｃについて、画像の枠が点線で表され、「再撮影予定」との文字が重畳される等、アイコン１１１２が付帯されていない画像との差別化が図られている。
【０１０１】
そして、編集者３からの入力により、アルバム作成ボタン１１２４を選択することで写真台帳の作成が開始される。
【０１０２】
図２７は、完成された写真台帳の一部を示す図である。表示例１１２５では、アイコン１１２２が付帯された画像１１２１ｃについて、画像の再取得（再撮影）を促すような説明文１１２７が設けられる。また、第１の実施形態で説明したように、編集の過程で編集者３からの入力により、各画像の説明文１１２６が編集されても構わない。
【０１０３】
以上の第６の変形例によれば、撮影ミス等で後に再取得を行いたい画像について、その撮影者の意図を明確に把握することができるような写真台帳を作成することができる。
〈第２の実施形態〉
以下、本発明の第２の実施形態の写真台帳作成システムについて説明する。図２８は、本実施形態における写真台帳作成システム１００を示す図である。
【０１０４】
写真台帳作成システム１００は、画像取得装置１０の代わりに画像取得装置２００と、画像編集装置４０の代わりに画像編集装置３００と、サーバ６０の代わりにサーバ５００と、を備え、各装置間のデータの送受信をコンピュータネットワークであるネットワーク１６０を介して実行する点において、第１の実施形態と異なったシステムである。また、写真台帳作成システム１００ではさらに、画像取得指示装置４００を備え、画像取得指示装置４００と上記装置間との間でもネットワーク１６０を介したデータの送受信が実行される。
【０１０５】
画像取得装置２００は、撮影者１２０からの入力指示によって、撮影対象Ｈの撮影を行い、画像データを取得する。画像取得装置２００は、取得した画像データや画像データに付帯された作業指示情報を出力する。
【０１０６】
画像編集装置３００は、画像取得装置２００から受信するデータに基づいて、写真台帳の編集及び作成処理を実行する。画像編集装置３００は、編集者１３０からの入力指示によって、写真台帳の編集を行い、該編集内容を反映した写真台帳を作成する。
【０１０７】
画像取得指示装置４００は、撮影者１２０への撮影指示（画像取得指示）を作成し、作成した撮影指示を画像取得装置２００へ送信する。撮影指示とは、画像取得の設定に関する指示（撮影する撮影対象Ｈを指定する指示、撮影する向きを指定する指示等）である。また、画像取得指示装置４００は、画像取得装置２００から受信するアドバイス情報（後述する設定アドバイス情報）に基づいて、上記撮影指示を作成することを特徴とする。
【０１０８】
図２９及び図３０は、写真台帳作成システム１００の機能構成を示す図である。以下、写真台帳作成システム１００に含まれる画像取得装置２００、画像編集装置３００、画像取得指示装置４００、サーバ５００の各機能構成について説明する。
【０１０９】
画像取得装置２００は、撮像部２０１と、入力部２０２と、表示部２０３と、通信部２０４と、制御部２０５と、記憶部２０９と、を有している。各構成は、第１の実施形態で説明した構成と同様である。画像取得装置２００はさらに、通信部２０４を介して、画像取得指示（撮影指示）２１２、アドバイス情報２１３を受信し、記憶部２０９に記憶する。アドバイス情報２１３は、画像取得装置２００で行う撮影（画像データの取得）の設定に関するアドバイスとなる情報であり、画像編集装置３００で作成されるものである。
【０１１０】
撮影者１２０は、画像の撮影時（取得時）において、表示制御部２０８が表示部２０２へ表示させた画像取得指示２１２、または、アドバイス情報２１３を参照する。
【０１１１】
また、第１の実施形態と同様に、画像取得装置２００は、予め記憶部２０９に記憶された作業指示情報２１１を取得した画像データと対応付けて、該画像データに付帯させて装置外部へ出力する処理を行う。一方、本実施形態では、上述した第１の実施形態とは異なる、新たな意味を有する作業指示情報を用いる。
【０１１２】
画像編集装置３００は、入力部３０１と、表示部３０２と、通信部３０３と、制御部３０４と、記憶部３０８と、を有している。制御部３０４以外の各構成は、第１の実施形態で説明した構成と同様である。
【０１１３】
制御部３０４は、アドバイス情報作成部３０６を有している点で、第１の実施形態の制御部４４と異なる。アドバイス情報作成部３０６は、画像取得装置２００から受信した、作業指示情報３１０が付帯された画像データ３０９に基づいて、アドバイス情報３１１の作成を行う。即ち、画像編集装置３００は、写真台帳の作成のほかに、アドバイス情報の作成も実行するものである。記憶部３０８には、作成されたアドバイス情報３１１が記憶される。
【０１１４】
画像取得指示装置４００は、入力部４０１と、表示部４０２と、通信部４０３と、制御部４０４と、記憶部４０７を有している。画像取得指示装置４００における画像取得指示作成部４０５は、画像編集装置３００から通信部４０３を介して受信したアドバイス情報をもとに、画像取得指示を作成する。また、画像取得指示の作成は、指示者１４０からの入力に基づいて行われる。画像取得指示の作成の過程で、表示制御部４０６は、画像取得指示の編集を行うための画像を表示部４０２へ表示させてもよい。記憶部４０７には、アドバイス情報４０８、画像取得指示情報４０９が記憶される。
【０１１５】
サーバ５００は、サーバ６０と同様の構成、機能構成を有する。
【０１１６】
図３１は、画像取得装置２００の表示部２０３に表示される画像と作業指示情報を示す図である。表示例１１４０では、撮像部２０１が取得した複数の画像データに基づくサムネイル画像である画像１１４１ａ〜１１４１ｅと、各画像データに対しそれぞれ付帯された作業指示情報であるアイコン（アイコン１００８、アイコン１１４２、アイコン１１４３）を表示している。尚、アイコン１００８については、第１の実施形態で説明したものと同様である。
【０１１７】
画像１１４１ｃに付帯されたアイコン１１４２、及び、画像１１４１ｅに付帯されたアイコン１１４３は、画像取得部における画像データの取得設定に関するアドバイス情報の作成を指示するアドバイス作成指示情報である。
【０１１８】
より詳しくは、アイコン１１４２は、画像取得装置２００で行う撮影に関するアドバイスとなる情報であるアドバイス情報（以下、撮影アドバイス情報とも記載する）の作成を指示するものである。
【０１１９】
アイコン１１４３は、画像取得指示装置４００における画像取得指示に対するアドバイスとなる情報であるアドバイス情報（以下、設定アドバイス情報とも記載する）の作成を指示するものである。
【０１２０】
撮影アドバイス情報とは、撮影者１２０に対するアドバイスであり、例えばピントや露出を合わせる位置をアドバイスする情報である。設定アドバイス情報とは、指示者１４０に対するアドバイスであり、指示者１４０が作成する撮影者１２０への撮影指示（撮影者１２０が撮影対象Ｈを撮影する方向を指定する指示等）の内容についてアドバイスする情報である。
【０１２１】
尚、図３２に示される表示例１１４４のように、アイコン１１４２は、画像の中の特定の箇所（撮影対象の一部である柱等）を明示的に示すように配置されていてもよい。アイコン１１４２ａは、柱の後ろの壁を示すアドバイス作成指示情報であり、アイコン１１４２ｂは、柱を示すアドバイス作成指示情報である。このように表示例１１４４では、どの部位に対する撮影アドバイスを作成するのかが後続の人間（編集者１３０など）に伝わり易くなる。アイコン１１４３についても同様に、図３３の表示例１１４５のように、画像の中の特定の箇所（撮影対象の一部である柱等）を明示的に示すように配置されていてもよい。
【０１２２】
図３４の表示例１１４６は、画像編集装置３００の表示部３０２に表示される編集用画像である。アイコン１１４２が付帯された画像１１４１ｃは、編集者１３０が見て撮影アドバイス情報を作成するものであることが判断できればよい。また、アイコン１１４３が付帯された画像１１４１ｅは、編集者１３０が見て設定アドバイス情報を作成するものであることが判断できればよい。編集者１３０からの入力により、アルバム作成アイコン１１４７を選択することで写真台帳の作成が開始される。
【０１２３】
図３５は、完成された写真台帳の一部を示す図である。図３５の表示例１１４８では、アイコン１００８が付された画像が掲載される。また、アドバイス情報の作成を指示するアイコン１１４２、１１４３が付された画像については、編集者１３０が編集過程において文章の入力を行い、説明文１１４９、１１５０のような記載として追加される。
【０１２４】
このような説明文１１４９の記載と画像１１４１ｃは、撮影者１２０が参照することで、次回撮影時における撮影アドバイス情報として機能する。また、説明文１１５０の記載と画像１１４１ｅは、指示者１４０が参照することで、次回撮影時における撮影者１２０に対する指示を作成する上での設定アドバイス情報として機能する。尚、アドバイス情報は、写真台帳とは別に作られてもよく、写真台帳上に掲載されずともよい。
【０１２５】
撮影アドバイス情報（説明文１１４９の記載と画像１１４１ｃ）は、画像取得装置２００へ出力され、撮影者１２０が画像取得を行うときに参照する情報となる。また、設定アドバイス情報（説明文１１５０の記載と画像１１４１ｅ）は、画像取得指示装置４００へ出力され、指示者１４０が撮影者１２０に対する撮影指示を作成する上で参照する情報となる。
【０１２６】
以上の写真台帳作成システム１００によれば、写真台帳を作成する上で、取得した画像をもとに、より好条件で撮影を行うためのアドバイスを作成する指示が画像取得装置から伝達される。それにより、画像編集装置３００を使用する編集者１３０が、撮影者１２０及び指示者１４０に向けたアドバイスを編集し、それぞれの装置へ伝達する。このように、画像取得装置２００においてアイコンを付与するという容易な方法によりアドバイス作成を要求することで、写真台帳の作成を繰り返す毎に撮影時における好条件が模索され、実行に移されていく。従って、撮影現場における指示や情報を反映し、さらに適切な写真台帳を作成することができる。
【０１２７】
図３６は、本写真台帳作成システム１３０における処理手順を示すフローチャートである。以下、図３６の各手順について説明する。図３６における画像取得処理のフローは、画像取得装置２００が実行する処理を示し、画像編集処理のフローは、画像編集装置３００が実行する処理を示し、画像取得指示作成処理のフローは、画像取得指示装置４００が実行する処理を示している。以下では、画像取得処理、画像編集処理、画像取得指示作成処理の順に説明する。
【０１２８】
画像取得処理のステップＳ１０１では、画像取得装置２００は、画像取得指示装置４００から撮影指示（画像取得指示）を受信する。ステップＳ１０２では、画像取得装置２００は画像取得指示を表示する。撮影者１２０は、この画像取得指示に基づき、撮影を行うこととなる。
【０１２９】
また、ステップＳ１０１、Ｓ１０２に並行して、画像取得装置２００は、撮影アドバイス情報を受信した場合、撮影アドバイス情報を表示してもよい。
【０１３０】
ステップＳ１０３からステップＳ１０７までの処理は、図７のステップＳ１からステップＳ５までの処理と等しいので、説明は省略する。画像取得装置２００は、以上のステップＳ１０１からステップＳ１０７の処理によりアイコン（作業指示情報）を付与した画像データを作成し、装置外へ送信することで画像取得処理を終了する。
【０１３１】
次に、画像編集処理のフローチャートを説明する。ステップＳ１０８、ステップＳ１１０の処理については、図７のステップＳ６、ステップＳ７の処理と等しいので、説明は省略する。
【０１３２】
ステップＳ１０９では、画像編集装置３００は、画像データに付帯されたアイコンが写真台帳の編集処理用のものであるかどうか判定する。画像編集装置３００は、ステップＳ１０９における判定がＹｅｓならばステップＳ１１０へ移行する。画像編集装置３００は、ステップＳ１０９における判定がＮｏならばステップＳ１１１へ移行する。
【０１３３】
画像編集装置３００は、ステップＳ１１１では、アイコンがアドバイス作成を要求するもの（アドバイス作成指示情報）であるかどうかを判定する。画像編集装置３００は、ステップＳ１１１の判定がＹｅｓならばステップＳ１１２へ移行する。画像編集装置３００は、ステップＳ１１１の判定がＮｏならばステップＳ１１４へ移行する。
【０１３４】
ステップＳ１１２では、画像編集装置３００は、アドバイス情報作成部３０６により、アドバイス情報の作成を行う。ここでいうアドバイス情報とは、撮影アドバイス情報または設定アドバイス情報である。ステップＳ１１３では、画像編集装置３００は、作成したアドバイス情報を装置外部へ出力する。
【０１３５】
ステップＳ１１４では、画像編集装置３００は、ステップＳ１１０の編集内容に基づいて、写真台帳の作成を実行する。以上のステップＳ１０８からステップＳ１１４の処理によりアドバイス情報及び写真台帳を作成し、画像編集処理を終了する。尚、撮影アドバイス情報は、画像取得装置２００へ送られ、設定アドバイス情報については、画像取得指示装置４００へ送られる。
【０１３６】
次に、画像取得指示作成処理において、画像取得指示装置４００は、ステップＳ１１５では、アドバイス情報（設定アドバイス情報）を受信する。ステップＳ１１６では、画像取得指示装置４００は、受信して取得したアドバイス情報を表示部４０２へ表示させる。
【０１３７】
ステップＳ１１７では、画像取得指示装置４００は、表示されたアドバイス情報を参照した指示者１４０の入力に基づき、画像取得指示を作成する。ステップＳ１１８では、画像取得指示装置４００は、作成した画像取得指示を画像取得装置２００へ送信する。以上のステップＳ１１５からステップＳ１１８の処理により、設定アドバイス情報に基づいて、画像取得指示が作成され、装置外へ送信されることで、画像取得指示作成処理を終了する。
【０１３８】
上述した実施形態は、発明の理解を容易にするために具体例を示したものであり、本発明はこれらの実施形態に限定されるものではない。上述した写真台帳作成システム及び、装置及び、方法は、特許請求の範囲に記載した本発明を逸脱しない範囲において、さまざまな変形、変更が可能である。
【符号の説明】
【０１３９】
１、１００            写真台帳作成システム
２、１２０            撮影者
３、１３０            編集者
４、１６０            ネットワーク
１０、２００                  画像取得装置
４０、３００                  画像編集装置
６０、５００                  サーバ装置
１５、２０１                  撮像部
１６、４１、２０２、３０１    入力部
１７、４２、２０３、３０２    表示部
１８、４３、６３、２０４、３０３、５０３    通信部
１９、４４、６２、２０５、３０４、５０２    制御部
２１、２０６                  作業指示情報選択部
２２、２０７                  画像作成部
２３、４６、２０８、３０７    表示制御部
２４、４７、６１、２０９、３０８、５０１    記憶部
２５、４８、２１０、３０９    画像データ
２６、４９、２１１、３１０    作業指示情報
４５、３０５                  写真台帳作成部
５０、３１２                  写真台帳
３０６                        アドバイス情報作成部
３１１、４０８                アドバイス情報
４００                        画像取得指示装置
４０５                        画像取得指示作成部
４０９、２１２                画像取得指示
Ｈ                            撮影対象
【図１】
2018147215.tif 000003
【図２】
2018147215.tif 000004
【図３】
2018147215.tif 000005
【図４】
2018147215.tif 000006
【図５】
2018147215.tif 000007
【図６】
2018147215.tif 000008
【図７】
2018147215.tif 000009
【図８】
2018147215.tif 000010
【図９】
2018147215.tif 000011
【図１０】
2018147215.tif 000012
【図１１】
2018147215.tif 000013
【図１２】
2018147215.tif 000014
【図１３】
2018147215.tif 000015
【図１４】
2018147215.tif 000016
【図１５】
2018147215.tif 000017
【図１６】
2018147215.tif 000018
【図１７】
2018147215.tif 000019
【図１８】
2018147215.tif 000020
【図１９】
2018147215.tif 000021
【図２０】
2018147215.tif 000022
【図２１】
2018147215.tif 000023
【図２２】
2018147215.tif 000024
【図２３】
2018147215.tif 000025
【図２４】
2018147215.tif 000026
【図２５】
2018147215.tif 000027
【図２６】
2018147215.tif 000028
【図２７】
2018147215.tif 000029
【図２８】
2018147215.tif 000030
【図２９】
2018147215.tif 000031
【図３０】
2018147215.tif 000032
【図３１】
2018147215.tif 000033
【図３２】
2018147215.tif 000034
【図３３】
2018147215.tif 000035
【図３４】
2018147215.tif 000036
【図３５】
2018147215.tif 000037
【図３６】
2018147215.tif 000038